(57)【要約】【課題】被支持装置を容易に移動することができると共に、容易に水平を確保できる支持装置を提供する。【解決手段】キャスタを有する情報表示装置が設置される傾斜面と接するベース部２と、情報表示装置が搭載される搭載部３と、ベース部２と搭載部３との間に設けられたスライド部４および高さ調整部５とを備え、スライド部４は、搭載部３の一端部を、第１位置から第２位置へと高さを確保した状態で移動させるものであり、高さ調整部５は、搭載部３の他端部を、搭載部３が第１位置にあるときは、一端部より低い高さとし、搭載部が第２位置にあるときには調整された高さとするターンバックルとした。【選択図】図１
2008008332.tif 000002
【特許請求の範囲】
【請求項１】
キャスタを有する被支持装置を支持する支持装置であって、
前記被支持装置が設置される傾斜面と接するベース部と、
前記被支持装置が搭載される搭載部と、
前記ベース部と前記搭載部との間に設けられたスライド部および高さ調整部とを備え、
前記スライド部は、前記搭載部の一端部を、第１位置から第２位置へと高さを確保した状態で移動させ、
前記高さ調整部は、前記搭載部の他端部を、前記搭載部が第１位置にあるときは、前記一端部より低い高さとし、前記搭載部が第２位置にあるときには調整された高さとすることを特徴とする支持装置。
【請求項２】
前記ベース部は、平板状に形成されていることを特徴とする請求項１記載の支持装置。
【請求項３】
前記搭載部の一端部側に、前記被支持装置の進行を止める凸部が設けられていることを特徴とする請求項１または２記載の支持装置。
【請求項４】
前記搭載部の一端部が第２位置にあるときに、前記スライド部の移動を規制する規制部が設けられていることを特徴とする請求項１から３のいずれかの項に記載の支持装置。
【発明の詳細な説明】
【技術分野】
【０００１】
本発明は、店頭や、街頭などに設置される被支持装置を、安定した状態で支持する支持装置に関する。
【背景技術】
【０００２】
例えば、店頭や、街頭などに設置される自動販売機などは、設置場所が傾斜面でも、レベリングスクリューなどで高さを調整することで、自動販売機の水平を保つことができる（例えば、特許文献１参照。）。自動販売機は、一度設置されれば、移動することは撤去時以外にはほとんどないので、自動販売機の移動を容易にするキャスタを設けなくても、専門の業者が作業を行うので、問題とはならない。
【０００３】
表示装置などの場合では、深夜に店頭に表示装置を設置したままにしておくと、悪意のある者が破壊したり、いたずらしたりするおそれがあることから、表示装置を閉店と共に店頭から店内へ撤去し、開店と共に再び店頭へ設置したいものである。そのような場合には、装置の底面部にキャスタを設けることで、移動を容易とすることができる（例えば、特許文献２参照。）。この場合の移動は、例えば、店員などが行うことになる。
【０００４】
【特許文献１】特開平６−１５０１３０号公報
【特許文献２】特開２００３−５８０７６号公報
【発明の開示】
【発明が解決しようとする課題】
【０００５】
しかし、特許文献２に記載の表示装置のように、底面部にキャスタのみを設けた装置では、傾斜面で装置の水平を保つことができないため、傾斜面とキャスタとの間に、スペーサが必要である。従って、スペーサを傾斜面とキャスタとの間に挿入するときには、装置を大きく傾斜させて、キャストと傾斜面との間に隙間を確保してスペーサを挿入する必要がある。
【０００６】
また、装置の底部の前側に２輪のキャスタを設け、後側に特許文献１に記載されているようにレベリングスクリューを設け、レベリングスクリューで後側を上げたり下げたりして装置の水平を確保することも考えられる。しかし、装置を移動させるときには、装置を前側に大きく傾斜させて、常にレベリングスクリューが設けられている後側を上げた状態で移動させる必要がある。
【０００７】
また、キャスタを前側に２輪設けると共に、更にレベリングスクリューも設け、後側にもキャスタを２輪設けることも考えられる。しかし、その場合には、設置するときに、レベリングスクリューを上げた状態でキャスタを使用して設置場所まで装置を移動させ、装置を後側に大きく傾斜させた状態でレベリングスクリューを降ろして高さ調整する。また撤去するときには、やはり装置を後側に大きく傾斜させた状態で、走行の邪魔にならないようにレベリングスクリューを上げることなる。
【０００８】
つまり、装置の水平を確保するためには、レベリングスクリューなどの調整機構が必要だが、装置を大きく傾斜させた状態で、移動したり、レベリングスクリューの調整を行ったりする必要があるので、容易に調整することができないだけでなく、非力な女性では装置が転倒してしまうおそれがある。
【０００９】
そこで本発明は、被支持装置を容易に移動することができると共に、容易に水平を確保できる支持装置を提供することを目的とする。
【課題を解決するための手段】
【００１０】
本発明の支持装置は、キャスタを有する被支持装置を支持する支持装置であって、前記被支持装置が設置される傾斜面と接するベース部と、前記被支持装置が搭載される搭載部と、前記ベース部と前記搭載部との間に設けられたスライド部および高さ調整部とを備え、前記スライド部は、前記搭載部の一端部を、第１位置から第２位置へと高さを確保した状態で移動させ、前記高さ調整部は、前記搭載部の他端部を、前記搭載部が第１位置にあるときは、前記一端部より低い高さとし、前記搭載部が第２位置にあるときには調整された高さとすることを特徴とする。
【００１１】
まず、本発明の支持装置を傾斜面に配置するときには、スライド部が搭載部の一端部を第１位置とした状態とする。第１位置では、搭載部の一端部の高さが確保された状態であり、他端部は高さ調整部により一端部より低い高さとした状態である。つまり搭載部はベース部に対して一端部から他端部へ下り傾斜した状態である。この状態で搭載部の他端部側から被支持装置を進行させる。被支持装置はキャスタを有しているので進行は容易である。搭載部は傾斜しているので、被支持装置を進行させると、被支持装置の底部が、キャスタの高さにある搭載部の位置に当接する。更に被支持装置を進行させると、スライド部が搭載部の一端部の高さを確保した状態で第２位置まで移動する。この第２位置では、高さ調整部が搭載部の他端部を調整された高さとしているので、スライド部の高さに対して高さ調整部の高さを、傾斜面に合わせて調整することで、搭載部を水平にすることができる。
【００１２】
前記ベース部は、平板状に形成されていることが望ましい。ベース部を平板状に形成すると、傾斜面との摩擦力を大きく確保することができる。従って、傾斜状態にある搭載部に被支持装置を進行させて、水平状態とするとき応力に対して、ベース部が移動してしまうことを抑止することができる。
【００１３】
前記搭載部の一端部側に、前記被支持装置の進行を止める凸部が設けられていることが望ましい。傾斜状態にある搭載部に被支持装置を進行させて水平状態とするときに、被支持装置の移動を凸部が止めるので、勢い余って搭載部の一端部から被支持装置が落ちてしまうことを防止することができる。
【００１４】
前記搭載部の一端部が第２位置にあるときに、前記スライド部の移動を規制する規制部が設けられていると、被支持装置を搭載した搭載部の移動が規制されるので、地震や故意に被支持装置を揺らしたときに、誤って搭載部が傾斜状態に戻り、被支持装置が本発明の支持装置から落ちてしまうことが防止できる。
【発明の効果】
【００１５】
本発明の支持装置によると、被支持装置をキャスタで進行させながら、傾斜状態にある搭載部に搭載し、搭載部を移動させることで、スライド部の高さに対して高さ調整部の高さを、傾斜面に合わせて調整しておけば、搭載部を水平にすることができるので、装置を容易に移動することができると共に、容易に水平を確保できる。
【発明を実施するための最良の形態】
【００１６】
本発明の実施の形態に係る支持装置を、図面に基づいて説明する。まずは、本実施の形態に係る支持装置の構成を図１および図２に基づいて説明する。図１は、本発明の実施の形態に係る支持装置の斜視図で、搭載部が傾斜状態にある図である。図２は、図１に示す支持装置の斜視図で、搭載部が水平状態にある図である。
【００１７】
図１および図２に示すように、支持装置１は、被支持装置を傾斜面に設置するときに、被支持装置の底部に配置することで、被支持装置の水平を確保するためのものである。支持装置１は、ベース部２と、搭載部３と、スライド部４と、高さ調整部５と、突き当て部６とを備えている。
【００１８】
ベース部２は、平面視して矩形状の金属製の平板部２１と、外側が高く、内側を外側より低くした壁部２２が平板部２１の両側部に設けられている。壁部２２には、スライド部４が配置されるところに貫通孔２２ａが設けられている。また壁部２２の底面には、レベリングスクリューとして機能するボルト７を挿通するネジ孔が２ヵ所ずつ、計４ヵ所設けられている。
【００１９】
搭載部３は、ベース部２の両側部の上方に位置し、断面コ字状の棒状体に形成されている。断面コ字状の棒状体に形成することで、被支持装置を搭載するため強度を確保している。
【００２０】
スライド部４は、ほぼ直角を有する台形状に形成された基部４１と、基部４１から搭載部３側に延びる先部４２とを備えている。スライド部４は、基部４１がベース部２の壁部２２に回動可能にネジ止めされ、先部４２が搭載部３の一端部に回動可能にネジ止めされている。スライド部４は、壁部２２にネジ止めされた位置を中心として回動することで、搭載部３の一端部を、円弧を描くように第１位置から第２位置へと高さを確保した状態で移動させる機能を備えている。
【００２１】
基部４１には、壁部２２の貫通孔２２ａと共にピン８が挿通されて、スライド部４の移動を規制する貫通孔４１ａが設けられている。この貫通孔２２ａ，４１ａとピン８とで規制部を構成する。
【００２２】
高さ調整部５は、基端を壁部２２に、他端を搭載部の他端部にそれぞれ回動可能にネジ止めしたターンバックルである。この高さ調整部５は、搭載部３の他端部を、搭載部３が第１位置にあるときは、一端部より低い高さとし、搭載部３が第２位置にあるときには調整された高さとする機能を備えている。
【００２３】
突き当て部６は、ベース部２の両側部に設けられた搭載部３の一端部同士を接続する略Ｌ字状金具で、搭載部３と共にコ字状を形成することで、被支持装置を搭載したときの荷重に耐えられるよう、強度を向上させるものである。またこの突き当て部６には、搭載部３の一端部同士の間を、上方へ向かって延びるように線状凸部６１が突出している。
【００２４】
ここで、この支持装置１に搭載される被支持装置の一例を、図３および図４に基づいて説明する。図３は、図１に示す支持装置に搭載される被支持装置の一例である情報表示装置の正面側から見た斜視図である。図４は、図３に示す情報表示装置の背面側から見た斜視部である。
【００２５】
図３および図４に示すように、情報表示装置１００は、上下方向に細長い直方体状に形成された装置本体１１０と、装置本体の１１０の底部に設けられた基台部１２０とを備えている。装置本体１１０の内部には、パーソナルコンピュータが備えられている。情報表示装置１００は、このパーソナルコンピュータを通信制御装置として機能させるプログラムが動作することで、インターネットを介して各種の情報を受信し表示する。情報表示装置１００の操作者は、表示部１１１の表面に設けられたタッチパネルを操作してメニューを選択することで、表示部１１１に表示された所望とする情報を得る。
【００２６】
基台部１２０は、支持装置１に支持される被搭載部１２１と、目隠し板１２２とが設けられている。被搭載部１２１は、平面視して略矩形状に形成され、支持装置１に搭載するときに、搭載部３を、基台部１２０の奥まで押し込めるように切欠部１２１ａが両側部に設けられている。目隠し板１２２は、被搭載部１２１の前部および両側部と後部の一部とに下方に延びるように設けられている。また基台部１２０には、キャスタ１２３が４つ設けられている。また被搭載部１２１の両側部の目隠し板１２２には、貫通孔１２２ａが設けられている。
【００２７】
以上のように構成される本発明の実施の形態に係る支持装置１が、被支持装置である情報表示装置１００を搭載する方法を、図５から図８に基づいて説明する。図５から図８は、本発明の実施の形態に係る支持装置１に、被支持装置である情報表示装置を搭載するときの方法を示す図である。
【００２８】
まず、情報表示装置１００を設置する傾斜面に支持装置１を載置する。支持装置１を載置したら、ベース部２の平板部２１に支持装置１がずれないように錘などをおいてもよい。また、情報表示装置１００を設置する場所に、支持装置１を常設する場合には、支持装置１の平板部２１にアンカーを打設していてもよい。
【００２９】
そして、図１に示すようにスライド部４を後側に倒すことで、搭載部３の一端部が第２位置となり、高さ調整部５が起立した状態となる。この状態で、搭載部３の搭載面が水平となるように、高さ調整部５を調整する。設置される傾斜面が前方に向かって下り傾斜となる場合では、高さ調整部５の全長が長くなるように、傾斜面が前方に向かって登り傾斜となる場合では、高さ調整部５の全長が短くなるように、高さ調整部５を調整して搭載部３の搭載面を水平とする。
【００３０】
そして、スライド部４を前側に倒すことで、搭載部３の一端部が第１位置となり、高さ調整部５が倒伏した状態となる。従って、搭載部３の一端部より他端部が低い位置となるので、搭載部３は傾斜した状態となる。
【００３１】
図５に示すように、設置者は、搭載部３のそれぞれに基台部１２０の切欠部１２１ａを位置合わせして情報表示装置１００を進行させる。情報表示装置１００を進行させることで、傾斜状態となった搭載部３が、基台部１２０の奥側に位置するまで進める。
【００３２】
図６に示すように、切欠部１２１ａが、キャスタ１２３の高さにある搭載部３の位置に当接するまで、情報表示装置１００を進行させ、軽く情報表示装置１００を前側に少し傾ける。このとき、図７に示すように。基台部１２０の前側を足先で押さえながら進行させる。そうすることで、更に基台部１２０を奥深く搭載部３に進行させることができる。情報表示装置１００を勢いよく進行させた結果、勢いが余って搭載部３の一端部側からはみ出しそうになったとしても、突き当て部６の線状凸部６１が基台部１２０の後側の目隠し板１２２により、進行を止めることができる。情報表示装置１００を搭載部３に完全に載せるためには、最初に情報表示装置１００を少し傾ける必要があるが、搭載部３に有る程度載った状態であり、線状凸部６１が進行方向にあるため、設置者は安心して傾けることができる。
【００３３】
また、搭載部３上をスライドさせるように情報表示装置１００が移動するときに、支持装置１も一緒になって移動しようとするが、ベース部２の平板部２１と傾斜面との摩擦力が大きいので、支持装置１の移動を抑止することができる。
【００３４】
そして、情報表示装置１００が進むにつれて、搭載部３が後側に移動し始め、スライド部４が回動することで、搭載部３の一端部が第１位置から第２位置へと円弧を描くように移動する。高さ調整部５は、倒伏状態から起立状態となる。従って、図８に示すように、搭載部３の一端部が第２位置へ移動することで、搭載部３が水平状態となるので、情報表示装置１００を水平状態にすることができる。
【００３５】
情報表示装置１００を水平状態としたところで、ピン８（図示せず）を貫通孔２２ａに挿入して、スライド部４の移動を規制する。また、図１および図２に示す搭載部３の他端部に設けた貫通孔３１と、図４に示す情報表示装置１００の側部の目隠し板１２２の貫通孔１２２ａとに、ピンを挿入して、情報表示装置１００と支持装置１との位置関係がずれないようにしてもよい。このように、搭載部３に情報表示装置１００が搭載された後に、搭載部３の移動を規制することで、更に情報表示装置１００を安定させて状態とすることができる。
【００３６】
情報表示装置１００を移動させて店内などに収納するときには、設置者が情報表示装置１００の正面に位置し、手前に引くようにして移動させる。情報表示装置１００を手前に移動させることで、スライド部４が搭載部３の一端部を第２位置から第１位置へ移動する。これにより高さ調整部５が起立状態から倒伏状態となるので、搭載部３が傾斜状態となる。情報表示装置１００は、傾斜状態となった搭載部３を滑るように移動して、支持装置１から外すことができる。
【００３７】
このようにして、情報表示装置１００をキャスタ１２３で進行させながら、傾斜状態にある搭載部３に搭載し、搭載部３を移動させることで、スライド部４の高さに対して高さ調整部５の高さを、傾斜面に合わせて調整しておけば、搭載部３を水平にすることができるので、情報表示装置１００を容易に移動することができると共に、容易に水平を確保できる。
【産業上の利用可能性】
【００３８】
本発明は、被支持装置を容易に移動することができると共に、容易に水平を確保できるので、情報表示装置のみならず、自立型の装置を支持する支持装置として好適である。
【図面の簡単な説明】
【００３９】
【図１】本発明の実施の形態に係る支持装置の斜視図で、搭載部が傾斜状態にある図である。
【図２】図１に示す支持装置の斜視図で、搭載部が水平状態にある図である。
【図３】図１に示す支持装置に搭載される被支持装置の一例である情報表示装置の正面側から見た斜視図である。
【図４】図３に示す情報表示装置の背面側から見た斜視部である。
【図５】本発明の実施の形態に係る支持装置に、被支持装置である情報表示装置を搭載するときの方法を示す図である。
【図６】本発明の実施の形態に係る支持装置に、被支持装置である情報表示装置を搭載するときの方法を示す図である。
【図７】本発明の実施の形態に係る支持装置に、被支持装置である情報表示装置を搭載するときの方法を示す図である。
【図８】本発明の実施の形態に係る支持装置に、被支持装置である情報表示装置を搭載するときの方法を示す図である。
【符号の説明】
【００４０】
１  支持装置
２  ベース部
２１  平板部
２２  壁部
２２ａ  貫通孔
３  搭載部
３１  貫通孔
４  スライド部
４１  基部
４１ａ  貫通孔
４２  先部
５  高さ調整部
６  突き当て部
６１  線状凸部
７  ボルト
８  ピン
１００  情報表示装置
１１０  装置本体
１１１  表示部
１２０  基台部
１２１  被搭載部
１２１ａ  切欠部
１２２  目隠し板
１２２ａ  貫通孔
１２３  キャスタ
【図１】
2008008332.tif 000003
【図２】
2008008332.tif 000004
【図３】
2008008332.tif 000005
【図４】
2008008332.tif 000006
【図５】
2008008332.tif 000007
【図６】
2008008332.tif 000008
【図７】
2008008332.tif 000009
【図８】
2008008332.tif 000010